(57)【要約】【課題】本発明は、入力面が横向き又は縦向きであっても、この入力面を見易い角度に傾斜させることができる電子機器を得ることにある。【解決手段】電子機器は、入力面(18)と、入力面の反対側に位置する底面(5a)とを含む筐体(4)を備えている。筐体は、入力面を横向きで使用する時にこの入力面の手元側が低くなるように筐体を傾斜させる第１のチルト脚(28)と、入力面を縦向きで使用する時にこの入力面の手元側が低くなるように筐体を傾斜させる第２のチルト脚(29)とを有している。第１のチルト脚は底面から突出するように筐体に固定されている。第２のチルト脚は底面から突出する使用位置と、底面に格納される格納位置との間で回動可能に筐体に支持されている。【選択図】      図４
2005107840.tif 000002
【特許請求の範囲】
【請求項１】
表示画面と、この表示画面の反対側に位置する底面とを含む筐体を備え、上記表示画面を横向き又は縦向きとしたいずれかの姿勢に表示方向を変更可能な電子機器であって、
上記筐体は、上記表示画面を横向きで使用する時にこの表示画面の手元側が低くなるように上記筐体を傾斜させる第１のチルト脚と、上記表示画面を縦向きで使用する時にこの表示画面の手元側が低くなるように上記筐体を傾斜させる第２のチルト脚とを有し、上記第１のチルト脚は上記底面から突出するように上記筐体に固定されているとともに、上記第２のチルト脚は上記底面から突出する使用位置と、上記底面に格納される格納位置との間で回動可能に上記筐体に支持されていることを特徴とする電子機器。
【請求項２】
請求項１の記載において、上記表示画面は、上記筐体の幅方向に沿う長軸と上記筐体の奥行き方向に沿う短軸を有する矩形状であり、上記第１のチルト脚は、上記筐体の奥行き方向に沿う一端側に偏った位置において上記筐体の幅方向に延びていることを特徴とする電子機器。
【請求項３】
請求項２の記載において、上記表示画面を横向きで使用する時に上記表示画面の長軸が横置きとなるとともに、上記表示画面を縦向きで使用する時に上記表示画面の短軸が横置きとなることを特徴とする電子機器。
【請求項４】
請求項２の記載において、上記第１のチルト脚は、上記筐体を手で持つ時に使用するグリップを兼ねていることを特徴とする電子機器。
【請求項５】
請求項２の記載において、上記第２のチルト脚は、上記筐体の奥行き方向に沿う中央部において上記筐体の幅方向に沿う一端側に偏った位置に設けられていることを特徴とする電子機器。
【請求項６】
請求項５の記載において、上記筐体は補助脚を有し、この補助脚は上記第１のチルト脚に対し上記第２のチルト脚を間に挟んだ反対側に位置するとともに、上記筐体の底面から突出する使用位置と、上記底面に格納される格納位置との間で回動可能に上記筐体に支持され、上記補助脚と上記第１のチルト脚の上記底面からの突出高さは略同等であることを特徴とする電子機器。
【請求項７】
請求項１ないし請求項６のいずれかの記載において、上記筐体は、上記底面に露出されたスピーカを内蔵し、上記第１のチルト脚は、上記筐体を載置面の上に置いた時に、この載置面との間に上記スピーカから放出された音を逃す隙間を形成することを特徴とする電子機器。
【請求項８】
底面および上面を有する筐体と、この筐体の上面に配置された入力装置とを含む本体ユニットと、
表示画面を有し、上記本体ユニットに対し横軸回りに回動可能に支持されるとともに、縦軸回りに反転可能に支持された表示ユニットと、を具備し、
上記表示ユニットは、上記入力装置の背後で上記表示画面を起立させる第１の使用形態と、上記表示ユニットを上記本体ユニットの上に重ね合わせた状態で上記表示画面を露出させる第２の使用形態とのいずれかに選択的に切り換え可能であるとともに、上記第２の使用形態において上記表示画面を横向き又は縦向きのいずれかの姿勢に表示方向を変更可能とした電子機器であって、
上記本体ユニットは、上記第２の使用形態で上記表示画面を横向きとして使用する時にこの表示画面の手元側が低くなるように上記本体ユニットを傾斜させる第１のチルト脚と、上記表示画面を縦向きとして使用する時にこの表示画面の手元側が低くなるように上記本体ユニットを傾斜させる第２のチルト脚とを有し、上記第１のチルト脚は上記筐体の底面から突出するように上記本体ユニットの筐体に固定されているとともに、第２のチルト脚は上記底面から突出する使用位置と、上記底面に格納される格納位置との間で回動可能に上記本体ユニットの筐体に支持されていることを特徴とする電子機器。
【請求項９】
請求項８の記載において、上記本体ユニットの筐体は、上記底面に連なる後面を有し、上記第１のチルト脚は、上記筐体の底面と後面とで規定される角部に一体に形成されているとともに、上記横軸に沿うように上記筐体の幅方向に延びていることを特徴とする電子機器。
【請求項１０】
請求項９の記載において、上記第１のチルト脚は、上記本体ユニットを手で持つ時に使用するグリップを兼ねていることを特徴とする電子機器。
【請求項１１】
請求項８ないし請求項１０のいずれかの記載において、上記第２のチルト脚は、上記本体ユニットの奥行き方向に沿う中央部において上記本体ユニットの幅方向に沿う一端側に偏った位置に設けられていることを特徴とする電子機器。
【請求項１２】
請求項１１の記載において、上記本体ユニットは補助脚を有し、この補助脚は上記第１のチルト脚に対し上記第２のチルト脚を間に挟んだ反対側に位置するとともに、上記筐体の底面から突出する使用位置と、上記底面に格納される格納位置との間で回動可能に上記筐体に支持され、上記補助脚と上記第１のチルト脚の上記底面からの突出高さは略同等であることを特徴とする電子機器。
【請求項１３】
請求項８の記載において、上記本体ユニットの筐体は、上記底面に露出されたスピーカを内蔵し、上記第１のチルト脚は、上記筐体を載置面の上に置いた時に、この載置面との間に上記スピーカから放出された音を逃す隙間を形成することを特徴とする電子機器。
【請求項１４】
請求項８の記載において、上記表示画面は、上記表示ユニットの幅方向に沿う長軸と上記表示ユニットの奥行き方向に沿う短軸とを有する矩形状をなし、上記表示画面を横向きで使用する時に上記表示画面の長軸が横置きとなるとともに、上記表示画面を縦向きで使用する時に上記表示画面の短軸が横置きとなることを特徴とする電子機器。
【請求項１５】
請求項１又は請求項８の記載において、上記表示画面は、手書き入力可能な入力面を兼ねていることを特徴とする電子機器。
【請求項１６】
表示画面と、この表示画面の反対側に位置する底面とを含む筐体を備え、上記表示画面を横向き又は縦向きとしたいずれかの姿勢に表示方向を変更可能な電子機器であって、
上記筐体は、上記表示画面を横向きで使用する時にこの表示画面の手元側が低くなるように上記筐体を傾斜させる第１のチルト脚と、上記表示画面を縦向きで使用する時にこの表示画面の手元側が低くなるように上記筐体を傾斜させる第２のチルト脚とを有し、上記第１および第２のチルト脚は、夫々上記底面から突出する使用位置と、上記底面に格納される格納位置との間で回動可能に上記筐体に支持されていることを特徴とする電子機器。
【請求項１７】
表示画面と、この表示画面の反対側に位置する底面とを含む筐体を備え、上記表示画面を横向き又は縦向きとしたいずれかの姿勢に表示方向を変更可能な電子機器であって、
上記筐体は、上記表示画面を横向きで使用する時にこの表示画面の手元が低くなるように上記筐体を傾斜させる一対の第１のチルト脚と、上記表示画面を縦置きで使用する時にこの表示画面の手元側が低くなるように上記筐体を傾斜させる一対の第２のチルト脚とを有し、
上記第１のチルト脚は、上記筐体の奥行き方向に互いに離間して配置されているとともに、夫々上記底面から突出する使用位置と、上記底面に格納される格納位置との間で回動可能に上記筐体に支持され、上記第２のチルト脚は、上記筐体の幅方向に互いに離間して配置されているとともに、夫々上記底面から突出する使用位置と、上記底面に格納される格納位置との間で回動可能に上記筐体に支持されていることを特徴とする電子機器。
【請求項１８】
請求項１６又は請求項１７の記載において、上記表示画面は、上記筐体の幅方向に沿う長軸と上記筐体の奥行き方向に沿う短軸とを有する矩形状をなし、上記表示画面を横向きで使用する時に上記表示画面の長軸が横置きとなるとともに、上記表示画面を縦向きで使用する時に上記表示画面の短軸が横置きとなることを特徴とする電子機器。
【発明の詳細な説明】
【技術分野】
【０００１】
本発明は、表示画面を横向き又は縦向きとしたいずれかの姿勢に表示方向を変更可能な携帯形の電子機器に関する。
【背景技術】
【０００２】
携帯形のパーソナルコンピュータのような電子機器において、本体ユニットに支持された表示ユニットを１８０°反転可能としたものが知られている。この電子機器によると、表示ユニットは、水平な第１の軸を介して本体ユニットに支持され、この本体ユニットの上に横たわる閉じ位置と、本体ユニットに対し起立する開き位置との間で回動可能となっている。さらに、表示ユニットは、上記第１の軸と直交する第２の軸を介して本体ユニットに１８０°反転可能に支持されている。
【０００３】
このため、開き位置にある表示ユニットを第２の軸を中心に１８０°反転させた後に閉じ位置に倒せば、表示ユニットは、入力面を兼ねる表示画面を上向きとした姿勢で本体ユニットの上に横たわる。よって、表示画面をタブレットペンで触れることで入力操作を行えるようになっている（例えば、特許文献１参照）。
【０００４】
一方、パーソナルコンピュータのような電子機器は、チルト脚を備えている。チルト脚は、本体ユニットの後端部に支持されており、この本体ユニットの底面から突出する使用位置と、底面から引っ込むように本体ユニットに格納される格納位置の間で回動可能となっている。例えば電子機器を机の上に置いて使用する時にチルト脚を使用位置に回動させると、本体ユニットの手元側が低くなる姿勢に本体ユニットが傾斜する。そのため、本体ユニットの上面のキーボードが見易くなるとともに、操作性が良好となる（例えば、特許文献２参照）。
【特許文献１】特開平１１−３９０５８号公報
【特許文献２】特開２００３−２１６２７８号公報（段落番号０１３１、０１３２、図３、図１６）
【発明の開示】
【発明が解決しようとする課題】
【０００５】
特許文献１に開示された電子機器では、タブレットペンを用いて入力操作を実行するに際して、表示画面を横向きとする場合と、この表示画面を９０°回動させて縦向きとする場合があり得る。
【０００６】
また、特許文献２に開示された電子機器によると、本体ユニットに設置されたチルト脚は、専らキーボードを使用する時に本体ユニットを傾斜させるためのものであり、上記特許文献１のように表示画面の向きが電子機器の使用形態に応じて変更されることを何ら想定していない。
【０００７】
言い換えると、チルト脚は本体ユニットの後端部にしか設置されていないので、この本体ユニットの傾斜方向が一方向に限定されてしまう。このため、表示画面を横向き又は縦向きとして使用するような携帯形の電子機器に特許文献２のチルト脚を適用した場合、表示の向きに応じて表示画面を傾斜させることができなくなる。この結果、表示画面の向きによっては、表示画面が見難くなるといった問題が生じてくる。
【０００８】
本発明の目的は、表示画面を横向き又は縦向きとしたいずれの姿勢であっても、表示画面の手元側が低くなる方向に筐体を傾斜させることができ、表示画面の視認性が良好となる電子機器を得ることにある。
【課題を解決するための手段】
【０００９】
上記目的を達成するため、本発明の一つの形態に係る電子機器は、  
表示画面と、この表示画面の反対側に位置する底面とを含む筐体を備えている。この筐体は、上記表示画面を横向きで使用する時にこの表示画面の手元側が低くなるように上記筐体を傾斜させる第１のチルト脚と、上記表示画面を縦向きで使用する時にこの表示画面の手元側が低くなるように上記筐体を傾斜させる第２のチルト脚とを有している。  
上記第１のチルト脚は上記底面から突出するように上記筐体に固定されているとともに、上記第２のチルト脚は上記底面から突出する使用位置と、上記底面に格納される格納位置との間で回動可能に上記筐体に支持されていることを特徴としている。
【発明の効果】
【００１０】
本発明によれば、表示画面の向きに応じて第１のチルト脚と第２のチルト脚とを使い分けることができる。このため、表示画面を横向き又は縦向きとしたいずれの使用形態であっても、表示画面を見易い角度に筐体を傾斜させることができる。
【発明を実施するための最良の形態】
【００１１】
以下本発明の第１の実施の形態を、図１ないし図８にもとづいて説明する。
【００１２】
図１ないし図４は、電子機器としてのキーボード付き携帯情報機器１を開示している。携帯情報機器１は、本体ユニット２と表示ユニット３とを備えている。本体ユニット２は、偏平な箱形の第１の筐体４を有している。第１の筐体４は、ハードディスク駆動装置やCPUが実装されたプリント回路板およびその他の各種の回路部品を収容している。
【００１３】
第１の筐体４は、底面５ａ、上面５ｂ、左右の側面５ｃ、前面５ｄおよび後面５ｅを有し、この上面５ｂに入力装置としてのキーボード６が配置されている。第１の筐体４の後端部に支持部７が形成されている。支持部７は、第１の筐体４の幅方向に延びる円柱状をなしており、第１の筐体４の上面５ｂよりも上方に張り出している。支持部７は、キーボード６の後方に位置するとともに、第１の筐体４の幅方向に沿う中央部に凹部８を有している。
【００１４】
図４に示すように、第１の筐体４は、一対のスピーカ９ａ，９ｂを内蔵している。スピーカ９ａ，９ｂは、底面５ａの中央部に位置する放音用の開口部１０と向かい合っている。開口部１０は、第１の筐体４の奥行き方向に沿う長孔状をなすとともに、網状のスピーカカバー１１によって覆われている。
【００１５】
表示ユニット３は、第２の筐体１３と液晶表示パネル１４とを備えている。第２の筐体１３は、上記第１の筐体４と略同じ大きさの偏平な箱形であり、前面１５ａ、背面１５ｂおよび四つの周面１５ｃを有している。
【００１６】
液晶表示パネル１４は、第２の筐体１３に収容されており、その表示画面が透明なタブレット１６で覆われている。タブレット１６は、タブレットペン１７を用いて入力操作を実行する入力面１８を有している。入力面１８は液晶表示パネル１４の表示画面に重なり合っており、この入力面１８を通じて表示画面が透けて見える。このため、液晶表示パネル１４の表示画面は入力面１８を兼ねており、この入力面１８は第２の筐体１３の前面１５ａに形成された開口部１９を通じて第２の筐体１３の外方に露出している。
【００１７】
図１および図３に示すように、入力面１８は、長軸Ｘと短軸Ｙを有する矩形状をなしている。入力面１８の長軸Ｘは、第２の筐体１３の幅方向に沿って延びているとともに、入力面１８の短軸Ｙは、第２の筐体１３の奥行き方向に沿って延びている。
【００１８】
第２の筐体１３は、ヒンジユニット２１を介して第１の筐体４の支持部７に連結されている。ヒンジユニット２１は、ヒンジ本体２２、横軸としての一対の第１のヒンジ軸２３ａ，２３ｂおよび縦軸としての第２のヒンジ軸２４を備えている。ヒンジ本体２２は、円柱状をなすとともに上記支持部７の凹部８に回動可能に入り込んでいる。このヒンジ本体２２と支持部７は、第１の筐体４の幅方向に沿って互いに同軸状に一列に並んでいる。
【００１９】
第１のヒンジ軸２３ａ，２３ｂは、ヒンジ本体２２の軸方向に沿う両端部と支持部７との間に跨っている。第１のヒンジ軸２３ａ，２３ｂは、互いに同軸状をなすとともに第１の筐体４の幅方向に沿って延びている。このため、第１のヒンジ軸２３ａ，２３ｂは、ヒンジ本体２２を略１８０°回動可能に第１の筐体４に支持している。
【００２０】
第２のヒンジ軸２４は、ヒンジ本体２２の軸方向に沿う中央部と第２の筐体１３との間に跨っている。第２のヒンジ軸２４は、第１のヒンジ軸２３ａ，２３ｂと直交する方向に延びている。このため、第２のヒンジ軸２４は、第２の筐体１３を略１８０°反転可能にヒンジ本体２２に支持している。
【００２１】
以上のことから、ヒンジユニット２１は、表示ユニット３を閉じ位置と開き位置との間で回動可能に本体ユニット２に支持しているとともに、表示ユニット３が開き位置にある時に、この表示ユニット３を第２のヒンジ軸２４の周方向に略１８０°反転可能に本体ユニット２に支持している。
【００２２】
図２は表示ユニット３が閉じ位置に回動された状態を開示し、図１は表示ユニット３が開き位置に回動された状態を開示している。閉じ位置では、表示ユニット３の第２の筐体１３が本体ユニット２の第１の筐体４の上に横たわっており、第２の筐体１３の前面１５ａが第１の筐体４の上面５ｂと向かい合っている。このため、キーボード６やタブレット１６の入力面１８が第１および第２の筐体４，１３によって覆い隠されるとともに、携帯情報機器１が手帳形に折り畳まれている。
【００２３】
開き位置では、表示ユニット３が本体ユニット２の後端部から起立しており、キーボード６やタブレット１６の入力面１８がオペレータから見えるように露出している。表示ユニット３は、上記開き位置にある時に第２のヒンジ軸２４を中心に略１８０°の範囲内で反転可能となっている。このため、開き位置に保持された表示ユニット３を第２のヒンジ軸２４を中心に１８０°反転させた後、表示ユニット３を閉じ位置に向けて回動させると、図３に示すように、表示ユニット３は入力面１８を上向きにした姿勢で本体ユニット２の上に横たわり、第１の筐体４と第２の筐体１３とが一体化される。
【００２４】
よって、携帯情報機器１は、入力面１８を第１の筐体４の底面５ａの反対側に位置させた状態で手帳形に折り畳まれ、入力面１８をタブレットペン１７で触れたり、あるいは入力面１８にタブレットペン１７を近づけることで手書き入力を行えるようになっている。
【００２５】
ところで、この種の携帯情報機器１は、オペレータが片手で保持し得るような大きさに設計されている。このことから、携帯情報機器１は、一般的なポータブルコンピュータと同様に、表示ユニット３を開き位置に回動させてキーボード６で入力操作を実行する第１の使用形態と、表示ユニット３を入力面１８が上向きにとなる姿勢に反転させてタブレットペン１７を用いて入力操作を実行する第２の使用形態とのいずれかを選択し得るようになっている。
【００２６】
そして、第２の使用形態においては、入力面１８を横向きにした姿勢で携帯情報機器１を使用する場合と、入力面１８を縦向きにした姿勢で携帯情報機器１を使用する場合とがあり得る。
【００２７】
入力面１８を横向きとした場合、入力面１８の長軸Ｘが横置きとなり、入力面１８が横長画面となる。入力面１８を縦向きとした場合は、入力面１８の短軸Ｙが横置きとなり、入力面１８が縦長画面となる。
【００２８】
図４ないし図６に示すように、携帯情報機器１の本体ユニット２は、第１のチルト脚２８および第２のチルト脚２９を備えている。第１および第２のチルト脚２８，２９は、携帯情報機器１を例えば机の天板のような載置面２５の上に置いて使用する時に、入力面１８が横向き又は縦向きのいずれにおいても、入力面１８の手元側が低くなる方向に携帯情報機器１を傾斜させるためのものである。
【００２９】
図４に示すように、第１のチルト脚２８は、第１の筐体４の底面５ａと後面５ｅとで規定される角部に一体に形成されており、第１の筐体４に固定されている。この第１のチルト脚２８は、第１の筐体４の奥行き方向に沿う一端側に偏った位置において第１の筐体４の幅方向に沿って延びており、上記支持部７に連続している。それとともに、第１のチルト脚２８は、第１の筐体４の底面５ａおよび後面５ｅから突出するとともに、その突出端部２８ａが円弧状に湾曲している。
【００３０】
このため、本実施形態の第１のチルト脚２８は、オペレータが左手で携帯情報機器１を持つ時に手の指先を掛け易い筒形に形成されており、グリップ３０としての機能を兼ねている。
【００３１】
さらに、第１のチルト脚２８は、図示しないバッテリを収容しているとともに、上記タブレットペン１７を取り外し可能に収容するペンホルダ３１を備えている。ペンホルダ３１は、図５に示すように第１の筐体４の幅方向に沿って延びており、第１のチルト脚２８の一側面に開口している。
【００３２】
図６および図７は、夫々第１の使用形態および第２の使用形態にある携帯情報機器１を載置面２５の上に置いた状態を開示している。この状態では、第１の筐体４の底面５ａから突出する第１のチルト脚２８の突出端部２８ａが載置面２５に突き当たり、第１の筐体４の底面５ａと載置面２５との間に隙間G1を形成している。この隙間G1の存在により、上記スピーカ９ａ，９ｂが載置面２５から浮き上がり、このスピーカ９ａ，９ｂから放出される音が隙間G1を通じて携帯情報機器１の外周囲に逃げるようになっている。
【００３３】
図４に示すように、第２のチルト脚２９は、第１の筐体４の底面５ａに設置されている。第２のチルト脚２９は、第１の筐体４の奥行き方向に沿う中央部においてこの第１の筐体４の右端部の方向に偏った位置に設置されている。第２のチルト脚２９は、第１および第２の端部３２ａ，３２ｂを有するＵ形に形成されている。第１および第２の端部３２ａ，３２ｂは、第１の筐体４の奥行き方向に離れているとともに、夫々第１の筐体４の底面５ａに回動可能に連結されている。この第２のチルト脚２９の回動軸線O1は、第１の筐体４の奥行き方向に延びている。
【００３４】
このため、第２のチルト脚２９は、回動軸線O1を中心に図８に示す使用位置と、図４に示す格納位置との間で回動可能となっている。使用位置では、第２のチルト脚２８は第１の筐体４の底面５ａから突出しており、この第２のチルト脚２９の先端が載置面２５に突き当たるようになっている。この第２のチルト脚２９の突出高さH２は、第１のチルト脚２８の突出高さH1よりも大きい。
【００３５】
格納位置では、第２のチルト脚２８は、第１の筐体４の底面５ａに格納され、この底面５ａと同一面上に位置するようになっている。
【００３６】
図４に示すように、第１の筐体４の底面５ａに第１および第２の補助脚３５ａ，３５ｂが設置されている。第１および第２の補助脚３５ａ，３５ｂは、第１のチルト脚２８に対し第２のチルト脚２９を間に挟んだ反対側に位置している。言い換えると、第１および第２の補助脚３５ａ，３５ｂは、底面５ａの前端部において第１の筐体４の幅方向に互いに離間している。そのため、第１の補助脚３５ａは、第２のチルト脚２９に対し第１の筐体４の幅方向に離れているとともに、第２の補助脚３５ｂは、第２のチルト脚２９の直前に位置している。
【００３７】
第１および第２の補助脚３５ａ，３５ｂは、夫々底面５ａから突出する使用位置と、底面５ａに格納される格納位置との間で回動可能となっている。第１および第２の補助脚３５ａ，３５ｂの底面５ａからの突出高さH3は、上記第１のチルト脚２８の突出高さH1と略同等となっている。
【００３８】
このことから、本体ユニット２を載置面２５の上に置く時に、第１および第２の補助脚３５ａ，３５ｂを使用位置に回動させれば、これら第１および第２の補助脚３５ａ，３５ｂの先端および第１のチルト脚２８の突出端部２８ａが載置面２５に突き当たる。これにより、本体ユニット２は水平な姿勢を保って載置面２５の上に保持される。
【００３９】
一方、第１のチルト脚２８は、第２のチルト脚２９に対し第１の筐体４の後方にずれた位置で底面５ａから突出している。このため、第２のチルト脚２９を使用する時に、第１の補助脚３５ａを使用位置に回動させれば、第２のチルト脚２９の先端、第１の補助脚３５ａの先端および第１のチルト脚２８の突出端部２８ａのうち第２のチルト脚２９とは反対側の端部の三ヶ所が載置面２５に突き当たる。このため、本体ユニット２はがたつきを生じることなく載置面２５の上に保持される。
【００４０】
このような構成の携帯情報機器１において、キーボード６を用いて入力操作を実行する第１の使用形態では、第２のチルト脚２９、第１の補助脚３５ａおよび第２の補助脚３５ｂを夫々格納位置に回動させた状態で本体ユニット２を載置面２５の上に置く。これにより、第１のチルト脚２８の突出端部２８ａが全長に亘って載置面２５に突き当たるとともに、第１の筐体４の底面５ａの前端部が載置面２５に突き当たる。このため、図６に示すように、本体ユニット２はキーボード６の手元側が低くなるような姿勢に傾き、キーボード６の操作性が良好となる。
【００４１】
一方、タブレットペン１７を用いて入力操作を実行する第２の使用形態において、入力面１８を横向きにして使用するには、第２のチルト脚２９、第１の補助脚３５ａおよび第２の補助脚３５ｂを夫々格納位置に回動させた状態で本体ユニット２を載置面２５の上に置く。これにより、第１のチルト脚２８の突出端部２８ａが全長に亘って載置面２５に突き当たるとともに、第１の筐体４の底面５ａの前端部が載置面２５に突き当たる。この結果、図７に示すように、本体ユニット２およびこの本体ユニット２の上に重ねられた表示ユニット３は、入力面１８の手元側が低くなるような姿勢に傾き、入力面１８が見易くなる。
【００４２】
さらに、上記第２の使用形態において、入力面１８を縦向きにして例えばビューアとして使用するには、第２のチルト脚２９および第１の補助脚３５ａを夫々使用位置に回動させた状態で本体ユニット２を載置面２５の上に置く。これにより、第２のチルト脚２９の先端、第１の補助脚３５ａの先端および第１のチルト脚２８の突出端部２８ａのうち第２のチルト脚２９とは反対側の端部の三ヶ所が載置面２５に突き当たる。この結果、図８に示すように、本体ユニット２およびこの本体ユニット２の上に重ねられた表示ユニット３は、入力面１８の手元側が低くなるような姿勢に傾き、入力面１８が見易くなる。
【００４３】
したがって、上記構成によれば、入力面１８を横向きとして携帯情報機器１を使用する場合は、第１のチルト脚２８を用いて入力面１８を傾斜させる。さらに、入力面１８を縦向きとして携帯情報機器１を使用する場合は、第２のチルト脚２９および第１の補助脚３５ａを用いて入力面１８を傾斜させる。
【００４４】
このため、入力面１８の向きに応じて第１のチルト脚２８と第２のチルト脚２９の使い分けが可能となり、入力面１８が横向きおよび縦向きのいずれの場合も入力面１８を見易い角度に傾斜させることができる。
【００４５】
なお、本発明は上記第１の実施の形態に特定されるものではなく、図９ないし図１１に本発明の第２の実施の形態を示す。
【００４６】
この第２の実施の形態は、第１のチルト脚４０の構成が上記第１の実施の形態と相違しており、それ以外の携帯情報機器１の構成は第１の実施の形態と同様である。
【００４７】
図１０に示すように、第１のチルト脚４０は、第１の筐体４の底面５ａに設置されている。第１のチルト脚４０は、底面５ａの中央部よりも後面５ｅの方向に偏った位置に設置されているとともに、第１の筐体４の幅方向に沿って延びている。この第１のチルト脚４０は、第１の筐体４の幅方向に離間する第１および第２の端部４１ａ，４１ｂを有している。第１および第２の端部４１ａ，４１ｂは、夫々第１の筐体４の底面５ａに回動可能に連結されている。この第１のチルト脚４０の回動軸線O2は、第１の筐体４の幅方向に延びている。
【００４８】
このため、第１のチルト脚４０は、図１１に示す使用位置と、図１０に示す格納位置との間で回動可能となっている。使用位置では、第１のチルト脚４０は第１の筐体４の底面５ａから突出しており、この第１のチルト脚４０の突出端が載置面２５に突き当たるようになっている。また、格納位置では、第１のチルト脚４０は第１の筐体４の底面５ａに格納され、この底面５ａと同一面上に位置するようになっている。
【００４９】
このような構成によれば、入力面１８を横向きにして携帯情報機器１を使用する場合は、第１のチルト脚４０を使用位置に回動させるとともに、第２のチルト脚２９を格納位置に回動させる。さらに、入力面１８を縦向きにして携帯情報機器１を使用する場合は、第１のチルト脚４０を格納位置に回動させるとともに、第２のチルト脚２９を使用位置に回動させる。このことにより、本体ユニット２およびこの本体ユニット２の上に重ねられた表示ユニット３は、入力面１８が横向き又は縦向きのいずれの場合も、入力面１８の手元側が低くなるような姿勢に傾斜する。
【００５０】
したがって、上記第１の実施の形態と同様に、入力面１８の向きに応じて第１のチルト脚４０と第２のチルト脚２９の使い分けが可能となり、入力面１８を見易い角度に傾斜させることができる。
【００５１】
図１２は、本発明の第３の実施の形態を開示している。
【００５２】
この第３の実施の形態では、第１の筐体４の底面５ａに一対の第１のチルト脚５０，５１と一対の第２のチルト脚５２，５３が設置されている。第１のチルト脚５０，５１は、スピーカカバー１１を間に挟んで第１の筐体４の奥行き方向に互いに離間して配置されており、夫々第１の筐体４の幅方向に沿って延びている。第１のチルト脚５０，５１は、夫々第１の筐体４の幅方向に離間する第１および第２の端部５０ａ，５０ｂ，５１ａ，５１ｂを有している。これら第１および第２の端部５０ａ，５０ｂ，５１ａ，５１ｂは、夫々第１の筐体４の底面５ａに回動可能に連結されている。第１のチルト脚５０，５１の回動軸線O3は、第１の筐体４の幅方向に延びている。
【００５３】
このため、第１のチルト脚５０，５１は、回動軸線O3を中心に使用位置と格納位置との間で回動可能となっている。使用位置では、第１のチルト脚５０，５１は第１の筐体４の底面５ａから突出するとともに、これら第１のチルト脚５０，５１の突出端が載置面２５に突き当たる。また、格納位置では、第１のチルト脚５０，５１は第１の筐体４の底面５ａに格納され、この底面５ａと同一面上に位置するようになっている。
【００５４】
一方、第２のチルト脚５２，５３は、スピーカカバー１１を間に挟んで第１の筐体４の幅方向に離間して配置されている。第２のチルト脚５２，５３は、夫々第１および第２の端部５２ａ，５２ｂ，５３ａ，５３ｂを有するＵ形に形成されている。一方の第２のチルト脚５２の第１および第２の端部５２ａ，５２ｂ、他方の第２のチルト脚５３の第１および第２の端部５３ａ，５３ｂは、夫々第１の筐体４の奥行き方向に離れているとともに、第１の筐体４の底面５ａに回動可能に連結されている。第２のチルト脚５２，５３の回動軸線O4は、第１の筐体４の奥行き方向に延びている。
【００５５】
このため、第２のチルト脚５２，５３は、回動軸線O4を中心に使用位置と格納位置との間で回動可能となっている。使用位置では、第２のチルト脚５２，５３は第１の筐体４の底面５ａから突出するとともに、これら第１のチルト脚５２，５３の突出端が載置面２５に突き当たる。また、格納位置では、第２のチルト脚５２，５３は第１の筐体４の底面５ａに格納され、この底面５ａと同一面上に位置するようになっている。
【００５６】
このような構成によれば、入力面１８を横向きにして携帯情報機器１を使用する場合は、いずれかの第１のチルト脚５０又は５１を使用位置に回動させるとともに、第２のチルト脚５２，５３を格納位置に回動させる。さらに、入力面１８を縦向きにして携帯情報機器１を使用する場合は、第１のチルト脚５０，５１を格納位置に回動させるとともに、いずれかの第２のチルト脚５２，５３を使用位置に回動させる。
【００５７】
これにより、本体ユニット２およびこの本体ユニット２の上に重ねられた表示ユニット３は、入力面１８が横向き又は縦向きのいずれの場合も入力面１８の手元側が低くなるような姿勢に傾斜する。
【００５８】
したがって、入力面１８の向きに応じて第１のチルト脚５０，５１と第２のチルト脚５２，５３の使い分けが可能となり、入力面１８を見易い角度に傾斜させることができる。
【００５９】
さらに、本実施の形態では、第１のチルト脚５０，５１のいずれか一方および第２のチルト脚５２，５３のいずれか一方を選択して使用位置に回動させれば、入力面１８の四方向に傾斜させることができ、使い勝手が向上する。
【００６０】
本発明に係る電子機器は、携帯情報機器に特定されるものではなく、例えばB5サイズのポータブルコンピュータであっても同様に実施可能である。
【００６１】
さらに、入力面も矩形状に限らず、例えば正方形であってもよい。
【図面の簡単な説明】
【００６２】
【図１】本発明の第１の実施の形態に係るキーボード付き携帯情報機器の斜視図。
【図２】本発明の第１の実施の形態において、表示ユニットを閉じ位置に回動させた状態を示す携帯情報機器の斜視図。
【図３】本発明の第１の実施の形態において、表示ユニットを第２の位置に１８０°反転させ、入力面を縦向きにした使用形態を示す携帯情報機器の斜視図。
【図４】本発明の第１の実施の形態において、第１のチルト脚と第２のチルト脚との位置関係を示す携帯情報機器の斜視図。
【図５】本発明の第１の実施の形態に係る携帯情報機器の背面図。
【図６】本発明の第１の実施の形態において、表示ユニットを開き位置に回動させた状態を示す携帯情報機器の側面図。
【図７】本発明の第１の実施の形態において、表示ユニットの入力面を横向きにした使用形態を示す携帯情報機器の側面図。
【図８】本発明の第１の実施の形態において、表示ユニットの入力面を縦向きにした使用形態を示す携帯情報機器の側面図。
【図９】本発明の第２の実施の形態に係る携帯情報機器の背面図。
【図１０】本発明の第２の実施の形態に係る携帯情報機器の底面図。
【図１１】本発明の第２の実施の形態において、表示ユニット入力面を横向きにした使用形態を示す携帯情報機器の側面図。
【図１２】本発明の第３の実施の形態に係る携帯情報機器の底面図。
【符号の説明】
【００６３】
２…本体ユニット、３…表示ユニット、４，１３…筐体（第１の筐体、第２の筐体）、５ａ…底面、５ｂ…上面、６…入力装置（キーボード）、１８…表示画面（入力面）、２８，４０，５０，５１…第１のチルト脚、２９，５２，５３…第２のチルト脚。
【図１】
2005107840.tif 000003
【図２】
2005107840.tif 000004
【図３】
2005107840.tif 000005
【図４】
2005107840.tif 000006
【図５】
2005107840.tif 000007
【図６】
2005107840.tif 000008
【図７】
2005107840.tif 000009
【図８】
2005107840.tif 000010
【図９】
2005107840.tif 000011
【図１０】
2005107840.tif 000012
【図１１】
2005107840.tif 000013
【図１２】
2005107840.tif 000014